(57)【要約】【課題】性能が良く、小型で、安価なデジタル放送用チューナ、及びそれを使用したデジタル放送受信装置を提供すること。【解決手段】本発明のデジタル放送用チューナにおいて、回路基板１の短辺近傍に配置された端子６によって、回路基板１の長辺側を著しく短縮でき、小型で安価なものが得られると共に、デジタル信号復調回路５と端子６との間の結線を短くできて、性能の良好なものが得られる。【選択図】図３
2007267172.tif 000002
【特許請求の範囲】
【請求項１】
チューナ回路とデジタル信号復調回路が形成され、長辺と短辺を有する長方形の回路基板と、この回路基板に取り付けられ、前記チューナ回路と前記デジタル信号復調回路に接続された複数の端子と、前記チューナ回路と前記デジタル信号復調回路を覆った状態で、前記回路基板に取り付けられた金属板からなるカバーとを備え、前記回路基板の一辺側の長辺近傍と一辺側の短辺近傍のそれぞれには、複数の前記端子が配置されると共に、前記短辺側の前記端子近傍の前記回路基板には、前記デジタル信号復調回路を形成するためのデジタル信号復調用ＩＣが配置され、前記短辺近傍の前記端子には、前記デジタル信号復調回路が接続されたことを特徴とするデジタル放送用チューナ。
【請求項２】
前記端子は、前記長辺近傍と前記短辺近傍に一列状態で配置され、前記長辺近傍に配置された第１，第２の端子群と、前記短辺近傍に配置された第３の端子群を有し、前記第１の端子群には、前記チューナ回路が接続されると共に、前記第１の端子群から離れた状態で、互いに近い位置にある前記第２，第３の端子群には、前記デジタル信号復調回路が接続されたことを特徴とする請求項１記載のデジタル放送用チューナ。
【請求項３】
前記端子は線状で形成されると共に、前記端子は前記回路基板を貫通して下方に突出したことを特徴とする請求項１、又は２記載のデジタル放送用チューナ。
【請求項４】
請求項１から３の何れか１項に記載のデジタル放送用チューナと、このデジタル放送用チューナを搭載するマザー基板と、このマザー基板に形成され、ＭＰＥＧ信号復調用ＩＣを有したＭＰＥＧ信号復調回路とを備え、前記ＭＰＥＧ信号復調回路は、前記端子を配置した前記回路基板の短辺と対向する側に設けられ、前記ＭＰＥＧ信号復調回路と前記回路基板の前記短辺近傍に配置された前記端子が接続されたことを特徴とするデジタル放送受信装置。
【請求項５】
複数の前記デジタル放送用チューナと、このデジタル放送用チューナのそれぞれに対応して前記マザー基板に形成された複数の前記ＭＰＥＧ信号復調回路を備え、複数の前記デジタル放送用チューナは、前記回路基板の長辺側が互いに隣接した状態で前記マザー基板に並設されると共に、前記ＭＰＥＧ信号復調回路は、前記デジタル放送用チューナのそれぞれの前記回路基板の短辺に対向して配置され、前記ＭＰＥＧ信号復調回路のそれぞれは、前記デジタル放送用チューナのそれぞれの前記回路基板の前記短辺近傍に配置された前記端子に接続されたことを特徴とする請求項４記載のデジタル放送受信装置。
【発明の詳細な説明】
【技術分野】
【０００１】
本発明は、デジタルテレビに使用して好適なデジタル放送用チューナ、及びそれを使用したデジタル放送受信装置に関するものである。
【背景技術】
【０００２】
図５は従来の電子回路ユニットに係り、一部を切断した斜視図、図６は従来のデジタル放送用チューナとデジタル放送受信装置を模式的に示す平面図であり、次に、従来の電子回路ユニットに係る構成を図５に基づいて説明すると、金属板からなるロ字状をなした枠体５１内には、長辺と短辺を有する長方形の回路基板５２が取り付けられている。
【０００３】
この回路基板５２には、種々の電子部品５３が搭載されて、所望の電気回路が形成されると共に、回路基板５２の長辺近傍には、複数の端子５４が一列状態に配置され、この端子５４には、電子回路が接続されて、従来の電子回路ユニットが形成されている（例えば、特許文献１参照）。
【０００４】
このような電子回路ユニットの構成を適用した従来のデジタル放送用チューナは、図６に示すように、アナログのチューナ回路５５と、デジタル信号復調回路５６が回路基板５２に形成されると共に、回路基板５２の長辺近傍には、多数の端子５４が配置されて、チューナ回路５５に接続される第１の端子群Ｇ１と、デジタル信号復調回路５６に接続される第２の端子群Ｇ２を有して、従来のデジタル放送用チューナが形成されている。
【０００５】
次に、従来のデジタル放送用チューナを使用した従来のデジタル放送受信装置の構成を図６に基づいて説明すると、マザー基板５７には、複数のデジタル放送用チューナが回路基板５２の長辺側を互いに対向させ、且つ、互いに大きな間隔を置いて並設した状態で搭載されている。
【０００６】
また、マザー基板５７には、それぞれのデジタル放送用チューナに対応する複数のＭＰＥＧ信号復調回路５８が形成され、このＭＰＥＧ信号復調回路５８は、結線を出来るだけ短くするために、回路基板５２の短辺から外して、デジタル信号復調回路５６用の第２の端子群Ｇ２に近い位置に形成し、ＭＰＥＧ信号復調回路５８と第２の端子群Ｇ２の一部が接続線５９によって接続されて、従来のデジタル放送受信装置が形成されている。
【特許文献１】特開２００５−８５８６３号公報
【発明の開示】
【発明が解決しようとする課題】
【０００７】
しかし、従来のデジタル放送用チューナにあっては、多数の端子５４が回路基板５２の長辺近傍に一列状態に配置されているため、回路基板５２が極めて長くなって、大型になる上に、材料費が高くなるという問題がある。
【０００８】
また、従来のデジタル放送受信装置にあっては、ＭＰＥＧ信号復調回路５８が第２の端子群Ｇ２との結線を出来るだけ短くするために、回路基板５２の短辺から外して形成され、且つ、デジタル放送用チューナ間には、大きなスペースと必要とするため、大型になる上に、ＭＰＥＧ信号復調回路５８と第２の端子群Ｇ２との結線も長くなって、性能が悪くなるという問題がある。
【０００９】
本発明は、このような従来技術の実情に鑑みてなされたもので、その目的は、性能が良く、小型で、安価なデジタル放送用チューナ、及びそれを使用したデジタル放送受信装置を提供することにある。
【課題を解決するための手段】
【００１０】
上記の目的を達成するために、本発明は、チューナ回路とデジタル信号復調回路が形成され、長辺と短辺を有する長方形の回路基板と、この回路基板に取り付けられ、チューナ回路とデジタル信号復調回路に接続された複数の端子と、チューナ回路とデジタル信号復調回路を覆った状態で、回路基板に取り付けられた金属板からなるカバーとを備え、回路基板の一辺側の長辺近傍と一辺側の短辺近傍のそれぞれには、複数の端子が配置されると共に、短辺側の端子近傍の回路基板には、デジタル信号復調回路を形成するためのデジタル信号復調用ＩＣが配置され、短辺近傍の端子には、デジタル信号復調回路が接続されたことを特徴としている。
【００１１】
このように構成した本発明は、回路基板の短辺近傍に配置された端子によって、回路基板の長辺側を著しく短縮でき、小型で安価なものが得られると共に、デジタル信号復調回路と端子との間の結線を短くできて、性能の良好なものが得られる。
【００１２】
また、本発明は、上記発明において、端子は、長辺近傍と短辺近傍に一列状態で配置され、長辺近傍に配置された第１，第２の端子群と、短辺近傍に配置された第３の端子群を有し、第１の端子群には、チューナ回路が接続されると共に、第１の端子群から離れた状態で、互いに近い位置にある第２，第３の端子群には、デジタル信号復調回路が接続されたことを特徴としている。
【００１３】
このように構成した本発明は、第２，第３の端子群とデジタル信号復調回路を近い位置に配置できて、第２、第３の端子群とデジタル信号復調回路との間の結線を短くできて、性能の良好なものが得られる。
【００１４】
また、本発明は、上記発明において、端子は線状で形成されると共に、端子は回路基板を貫通して下方に突出したことを特徴としている。
【００１５】
このように構成した本発明は、マザー基板への端子の接続が容易であると共に、小スペースでの接続が出来る。
【００１６】
上記の目的を達成するために、本発明は、請求項１から３の何れか１項に記載のデジタル放送用チューナと、このデジタル放送用チューナを搭載するマザー基板と、このマザー基板に形成され、ＭＰＥＧ信号復調用ＩＣを有したＭＰＥＧ信号復調回路とを備え、ＭＰＥＧ信号復調回路は、端子を配置した回路基板の短辺と対向する側に設けられ、ＭＰＥＧ信号復調回路と回路基板の短辺近傍に配置された端子が接続されたことを特徴としている。
【００１７】
このように構成した本発明は、ＭＰＥＧ信号復調回路が回路基板の短辺と対向する位置に形成されているため、マザー基板のスペースファクタが良く、小型に出来ると共に、ＭＰＥＧ信号復調回路と回路基板の短辺近傍に配置された端子との間の結線も短くできて、性能の良好なものが得られる。
【００１８】
また、本発明は、上記発明において、複数のデジタル放送用チューナと、このデジタル放送用チューナのそれぞれに対応してマザー基板に形成された複数のＭＰＥＧ信号復調回路を備え、複数のデジタル放送用チューナは、回路基板の長辺側が互いに隣接した状態でマザー基板に並設されると共に、ＭＰＥＧ信号復調回路は、デジタル放送用チューナのそれぞれの回路基板の短辺に対向して配置され、ＭＰＥＧ信号復調回路のそれぞれは、デジタル放送用チューナのそれぞれの回路基板の短辺近傍に配置された端子に接続されたことを特徴としている。
【００１９】
このように構成した本発明は、複数のデジタル放送用チューナ間の間隔を小さくできて、小型のものが得られると共に、ＭＰＥＧ信号復調回路と回路基板の短辺近傍に配置された端子との間の結線も短くできて、性能の良好なものが得られる。
【発明の効果】
【００２０】
本発明は、回路基板の短辺近傍に配置された端子によって、回路基板の長辺側を著しく短縮でき、小型で安価なものが得られると共に、デジタル信号復調回路と端子との間の結線を短くできて、性能の良好なものが得られる。
【発明を実施するための最良の形態】
【００２１】
発明の実施の形態について図面を参照して説明すると、図１は本発明のデジタル放送用チューナに係り、一部を切断した正面図、図２は本発明のデジタル放送用チューナに係り、一部を切断した側面図、図３は本発明のデジタル放送用チューナに係り、回路基板の概要を示す平面図、図４は本発明のデジタル放送受信装置を模式的に示す平面図である。
【００２２】
次に、本発明のデジタル放送用チューナに係る構成を図１〜図３に基づいて説明すると、回路基板１は、長辺と短辺を有する長方形をなし、この回路基板１の一方の短辺側には、種々の電子部品２を搭載して形成されたアナログのチューナ回路３が設けられ、また、この回路基板１の他方の短辺側には、デジタル信号復調用ＩＣ４が配置されたデジタル信号復調回路５が設けられている。
【００２３】
線状の複数の端子６は、回路基板１の一辺側の長辺近傍と一辺側の短辺近傍に一列状態に配置され、この端子６は、チューナ回路３側の長辺近傍に配置され、チューナ回路３に接続される第１の端子群Ｔ１と、デジタル信号復調回路５側の長辺近傍に配置され、デジタル信号復調回路５に接続される第２の端子群Ｔ２と、デジタル信号復調回路５側の短辺近傍に配置され、デジタル信号復調回路５に接続される第３の端子群Ｔ３を有している。
【００２４】
そして、これ等の端子６は、上部側では所望の回路に接続された状態で、回路基板１を貫通して、下方に突出している。
【００２５】
金属板からなるカバー７は、箱形をなし、箱形部７ａと、この箱形部７ａの下部から下方に突出する脚部７ｂを有し、このカバー７は、箱形部７ａ内に回路基板１を収納した状態で、回路基板１に取り付けられて、本発明のデジタル放送用チューナが形成されている。
【００２６】
次に、本発明のデジタル放送用チューナを使用した本発明のデジタル放送受信装置の構成を図４に基づいて説明すると、マザー基板８には、複数のデジタル放送用チューナが回路基板１の長辺側を互いに隣接し、且つ、互いに並設した状態で搭載されている。
【００２７】
この時、端子６と脚部７ｂは、マザー基板８を貫通して、マザー基板８に設けられた導電パターン（図示せず）に半田付けによって接続されている。
【００２８】
また、マザー基板８には、それぞれのデジタル放送用チューナに対応して、ＭＰＥＧ信号復調用ＩＣ９を有したする複数のＭＰＥＧ信号復調回路１０が形成され、このＭＰＥＧ信号復調回路１０は、第３の端子群Ｔ３を設けた回路基板１の短辺と対向する側に設けられ、デジタル信号復調回路１０と第３の端子群Ｔ３は、導電パターンからなる接続線１１によって接続されて、本発明のデジタル放送受信装置が形成されている。
【００２９】
なお、上記実施例では、２個のデジタル放送用チューナを搭載したもので説明したが、デジタル放送用チューナが１個、或いは３個以上搭載されたものでも良い。
【図面の簡単な説明】
【００３０】
【図１】本発明のデジタル放送用チューナに係り、一部を切断した正面図である。
【図２】本発明のデジタル放送用チューナに係り、一部を切断した側面図である。
【図３】本発明のデジタル放送用チューナに係り、回路基板の概要を示す平面図である。
【図４】本発明のデジタル放送受信装置を模式的に示す平面図である。
【図５】従来の電子回路ユニットに係り、一部を切断した斜視図である。
【図６】従来のデジタル放送用チューナとデジタル放送受信装置を模式的に示す平面図である。
【符号の説明】
【００３１】
１  回路基板
２  電子部品
３  チューナ回路
４  デジタル信号復調用ＩＣ
５  デジタル信号復調回路
６  端子
Ｔ１  第１の端子群
Ｔ２  第２の端子群
Ｔ３  第３の端子群
７  カバー
７ａ  箱形部
７ｂ脚部
８  マザー基板
９  ＭＰＥＧ信号復調用ＩＣ
１０  ＭＰＥＧ信号復調回路
１１  接続線
【図１】
2007267172.tif 000003
【図２】
2007267172.tif 000004
【図３】
2007267172.tif 000005
【図４】
2007267172.tif 000006
【図５】
2007267172.tif 000007
【図６】
2007267172.tif 000008